(57)【要約】【課題】低価格、超高速熱伝導、高燃費節約の一石三鳥の効果を発揮する暖房装置を提供する。【解決手段】熱伝導のよい気体などの熱伝導媒体が充填されているジェットパイプ１０を並列に配管し、ジェットパイプ１０の一方の管端２１にヒートパイプ１１を接続する。【選択図】　　　図１９
2004028431.tif 000002
【特許請求の範囲】
【請求項１】
流入口１４、１６をもち、内部に温・冷の流体が流れるようにして内部に挿入されたヒートパイプ２０に熱を伝達するヒートパイプヘッド１０において、
上記流入及び流出口ロールヘッド本体１２の上部両側に並んで形成して、
ヘッド本体１２の内部前後面に上下に突出して挿入されたヒートパイプ２０の外周面に密着して内部空間を２分割する分割リブ１８をもちながら、上記分割リブ１８は上段が流体に含まれたエアーが流通されるように流入、流出口１４、１６の内周上面と流隔をもつようにして下段また流体が流通されるように下部キャップ２７面と流隔をもつようにした、
ことを特徴とするヒートパイプヘッド構造。
【請求項２】
流入及び流出口４２、４３をもち、内部に温・冷の流体が流出するようにして内部に挿入されたヒートパイプ２０に熱を伝達するヒートパイプヘッドにおいて、
上記ヒートパイプヘッドを多数のヒートパイプ２０を共有できるように胴体に形成してヘッド全体１２の内部に一定の間隔に多数の分割板４４を設置すると同時に、上段部が内上面と離隔されるようにして上部が互いに連通して幾つかのヒートパイプ室４５を形成して、各ヒートパイプ室４５の上面にヒートパイプ２０を結合するヒートパイプ室４５を２分割する分割リブ４７を形成して上記分割リブ４７の上段が流体に含まれるエアーが流通されるように内周上面と流隔をもつようにして下段また流体が回転して流通できるように下面と流隔をもつようにした、
ことを特徴とするヒートパイプヘッド構造。
【請求項３】
ヒートパイプ１０を挿入させ、気密に固定させるようにした
真空室を具備し、
この真空室を真空にさせる真空ポンプ２３、固定されたヒートパイプ１０に熱媒体を注入する熱媒体注入装置３０が構成されたヒートパイプ、
ヒートパイプ製造装置２０にあっては、ヒートパイプ製造装置２０Ａの案内孔２２に気密に注入され上下昇降をしながら、
密封ネジ１７を投入するネジ案内孔３１を設置して、上記ネジ案内孔３１の内部に上下スライド移動可能になるように挿入設置されたガイド２４を構成して、上記のネジ案内孔３１の上部に露出されたガイド２４の上段には、回転用取っ手２５が設置されている、
ことを特徴とする二重ヒートパイプ製造装置。
【請求項４】
請求項３に記載の二重ヒートパイプ製造装置において、
ドライバー案内口４１下段部に上広下挟の形状をもち、密封ネジ１７の頭部がかかるようにしたことと同時に、一定な間隔で連結溝をもち、一定圧で密封ネジ１８を押せば、押されて排出されるようにした装着ヘッド３３が具備された、
ことを特徴とする二重密封ヒートパイプ製造装置。
【請求項５】
請求項３に記載の二重ヒートパイプ製造装置において、
ネジ案内管３１Ａの下段部に密封ネジ１７の頭部より直径が小さなネジセッティング用伸縮チューブ３４が被う、
ことを特徴とする二重ヒートパイプ製造装置。
【請求項６】
請求項３に記載の二重ヒートパイプ製造装置において、
ガイド４４の下段側部にネジ案内孔３１が形成されている、
ことを特徴とする二重ヒートパイプ製造装置。
【請求項７】
ヒートパイプヘッド８０にヒートパイプ７９を挿入させて装着する構造において、
上記ヒートパイプ７９上段周りにネジ部７６を形成して内部にＯリング装着頤８９を形成して、これに水密のためのＯリング９０を装着して、締結ナット８３のジョイント孔８６にジョイント口８５を上部から下部に強制挿入させた状態でヒートパイプ７９のネジ部７６に締結ナット８４を締結させて、ヒートパイプ７９を強制挿入装着するようにした、
ことを特徴とするヒートパイプ結合が容易なヒートパイプヘッド。
【請求項８】
温水又は、冷水流入口３６と流出口３８をもつ多数の装着ヘッド３３を互いに連結管３９で連結して連結された各装着ヘッド３３の上部にヒートパイプ２０を結合させて設置する方法において、
上記装着ヘッド３３の下部一側面に温水及び冷水が流入する流入口３６をもち、その反対側面上部に流出口３８をもつ構造を単一化して、このような装着ヘッド３３を温水又は冷水が流れる方向に傾いて配置すると同時に、温水及び冷水が供給される側ヘッド３０の流出口３８を連結するヘッド３３の冷水流入口３６に連結して、ヘッド３８Ａ及びヒートパイプ２０を傾斜するように設置する、
ことを特徴とするヒートパイプ設置方法。
【請求項９】
熱伝導媒体が充填されているジェットパイプ１２０を並列するように配管し、
このジェットパイプ１２０の一方の管端に温水（上記を含む。）又は冷水を通すヒートパイプ１２８を接続することにより
構成することを特徴とする冷暖房装置。
【請求項１０】
請求項９に記載の冷暖房装置において、
ヒートパイプ１２８が、電熱により加熱される加熱装置に接続されている、
ことを特徴とする冷暖房装置。
【請求項１１】
請求項１０に記載の冷暖房装置において、
加熱装置が、ボイラーである、
ことを特徴とする冷暖房装置。
【請求項１２】
請求項１０に記載の冷暖房装置において、
ヒートパイプ１２８が、エンジンに接続されている、
ことを特徴とする冷暖房装置。
【発明の詳細な説明】
【０００１】
【発明が属する技術分野】
本発明は、ヒートパイプヘッド構造、特に、ヒートパイプヘッドの内部融着を２分する構造にして、管内に流れる流体がヒートパイプと充分に接触されるようにした熱効果を向上させて、流体に発生されるエアーは上部を通じて通過されるようにしたことで、エアークッション現象による循環障害を予防して、性能を向上させるヒートパイプ構造、より詳細にするには、ヒートパイプのヘッドにヒートパイプを装着するとき、単純にヒートパイプをヘッドに強制挿入させて、製作のために、結合製作が完了できるようにヒートパイプの結合を容易にするヒートパイプ構造に関し、
二重密封ヒートパイプ製造装置、特にヒートパイプを真空させて、熱媒体を注入した後、密封ネジを締結して密封させるようにすることで、より迅速で、簡便でありながら、確実に密封させることができるようにする二重密封ヒートパイプ製造装置に関し、
ヒートパイプ設置方法、特に、温水を通過させ、ヒートパイプを加熱させるヘッドと、ヒートパイプを傾斜させて、設置されることにより、その内部に流れる温水が受ける抵抗を最小化させ、温水の流れが円滑になり、それにより温水の流入が始まり部分と終わり部分の温度差が少なくなり、各ヒートパイプの温度を均一に維持できるヒートパイプ設置方法に関し、
冷暖房装置、特に、熱力学、流体熱学、金属工学、機械工学などの先端技術の集約によって完成された冷暖房装置に関するものである。
【０００２】
【従来の技術】
一般的にヒートパイプは、真空状態の管内に熱を伝達する作動流体が適当量充電されることで、下部にヒートパイプが結合して、ヒートパイプヘッド内を通過する流体の熱に影響を受けて、迅速に伝達することで、電気製品から冷暖房装置まで広く使用されている。
しかしながら、ヒートパイプの性能は、ヒートパイプ内に作動流体を充電させるとき、真空排気精度及び作動流体の最適充電状態により左右されることもあるが、ヘッドを通過する流体の流動状態によりその性能に大きな影響を及ぼすものである。
即ち、流体が、熱損失なく、どれだけ迅速にヒートパイプと接触させるようにさせるかと、ヒートパイプに流体が充分に接触されるか、同じ流体の流動時発生されるエアーたちを排出できるかにより、ヒートパイプの性能に影響を及ぼすことになる。
【０００３】
従来では、ヒートパイプの性能を向上させる方法にヒートパイプを傾けて設置をして、流体の抵抗を減少させ流速を増加させ、熱損失を最小化させながら多くの量の流体がヒートパイプに接触されるようにして、多くの熱の量の熱を伝達できるようにする方が大部分であった。この方法は、本出願が大韓民国特許出願第１９９８−１４３９２号に出願したことを紹介している。
しかし、このような方法以外にヒートパイプに多くの量の流体が接触するようにして、その性能を向上させる方法はなかった
同じく流体内に含まれた気泡たちが流体と一緒に流れれば、ヘッドの上部に集まるようになり、これと同じくエアーがいっぱいになれば、どんなに大きい力を加えて流体を押送しても、エアークッション現象が発生して、流体の圧が下がり、循環障害を起こすパターンがあった。
【０００４】
【発明が解決しようとする課題】
よって、本発明は、流体とヒートパイプが充分に接触されるようにして、同じく流体の流動時発生されたエアーまた一箇所に集まることなく、流体と一緒に流れるようにして、流体の熱伝達効率を高め、また気泡による循環障害を起こさないようにするヒートパイプヘッド構造を提供することにその目的がある。
【０００５】
一般的に、ヒートパイプは、管の内部に熱媒体を充填して、一側に熱を加えれば、熱媒体が膨張して移動し、また熱交換された熱媒体は、凝縮され、もう一度帰還する作用を反復しながら迅速に熱交換作用をするようにしたことである。
このようなヒートパイプを製造するときには、ヒートパイプを一定の長さに切断して、流速断部に栓を挿入して溶接し、次ぎにその一側栓で注入口を形成して、これを溶接装置が設置された熱媒体装置を通じて真空をさせれば、熱媒体を充填させた次ぎに溶接装置で注入口を溶接して、密封させるようにできている。
しかし、このような方法により製造されたヒートパイプは、溶接が難しく、また溶接クラックが発生するなど溶接不良が多く発生することと同じく寿命が短くなるパターンがある。
また、これらと同じくヒートパイプの不良が発生すれば、溶接された部位を切断して、もう一度溶接工程を踏まなくてはならないので、多くの材料損失を招く。
【０００６】
【発明が解決しようとする課題】
本発明は、従来のパターンを解消するために、発案されたもので、その目的は、ヒートパイプに熱媒体装置を通じて熱媒体を注入させるとき、注入口に密封ネジを締結する構造をもつようにして、真空状態から熱媒体を注入した後、注入口に密封ネジを締結して密封することで、より迅速、簡便であり、確実に密封させることができる二重ヒートパイプ製造装置を提供することにある。
【０００７】
上記目的を達成するために、本発明のヒートパイプは、上部に気密を維持しながら上下に出没可能であり、また内部にはドライバー軸部が露出した上記ドライバー案内管を結合して支えながら上記ドライバー軸の安定された昇降動作を誘導する可動フレームと、上記可動フレームを昇下降させる昇下降装置と、上記可動フレームにドライバー軸部を回転させるように設置される回転手段と、上記可動フレームにドライバー軸部を上下垂直移動させる昇下降装置により製造される。
【０００８】
ヒートパイプは、真空密閉されたパイプ内部に熱媒体を注入して、一側段を温水が流れるヘッド部に挿入させて、内部から熱媒体が凝縮されながら流通させるようにして、迅速な熱交換作用を行わせることを電子製品からはじめ暖房用にも広く使用されている。
ヒートパイプが結合するヒートパイプヘッドは、下段部が塞がった小径管形状であり、両側上部また下部に温水また熱媒体が連続的に流れるようにして、連結管が形成されている。水流入口が二つのタイプに区分できるが、その中の一つは、下部一側面に温水また冷水流入口をもち、その反対側面上部に温水また冷水流出口をもつヘッドタイプと、上部一側面温水また冷水流入口をもち、その反対側上部に流出口をもつヘッドタイプであり、こららは互いに連続的に連結されている。
このようなヒートパイプヘッドは、上段部にヒートパイプ２０が挿入装着された装着部が設置されているが、この装着部は、外部に上段部を通じて固定されている。
ヒートパイプ装着部は、ヒートパイプヘッド１０Ａの上段内径が広くなり、その内部はＯリング９０が差し込まれ、上段部はネジ部７６が形成され、締結口が結合される。
締結口の中央部には、孔７８が形成されて、これにヒートパイプ２０が挿入される。
ヒートパイプ２０をヒートパイプヘッド１０Ａに結合させるよきは、ヒートパイプ２０に締結口をはめた後に、その一端をヒートパイプヘッド１０Ａを通じて挿入される。ヒートパイプ２０は、挿入されながらＯリング９０を伸長させながら挿入され、その後締結口７７をヒートパイプヘッド１０Ａ上段のネジ部８１に締結しながらヒートパイプ２０を強固にして、気密に結合させるようになる。
しかし、このようにヒートパイプ結合構造は、ヒートパイプ２０結合時、締結口７７をヒートパイプ２０から分離させなければならなく、また結合後には、もう一度ヒートパイプヘッド１０Ａのネジ部７６にネジ締結させなければならない面倒な作業が随伴しなければならない。
これは、作業効率を低下させ、工期を遅らせることと同時に、多くの人件費の支出を伴うことになる。
また、ヒートパイプヘッド１０Ａに結合したヒートパイプ７９は強引に引き抜いた場合、ヒートパイプ７９から簡単に分離されるばかりか、密封効果が低下して、維持管理をたびたび施工しなければならない短所がある。
【０００９】
【発明が解決しようとする課題】
本発明は、従来の短所を解消するために発案されたものであり、その目的は、ヒートパイプヘッドを設置した後、ヒートパイプを単純で強制的に通す簡単な操作により、強固でありながら良好な水密性ををもつよう結合させる効果があるだけでなく、一度挿入された後には、締結ナットを解かない限り、ヘッドから離脱することはなく、ヒートパイプの結合が容易なヒートパイプを提供することにある。
【００１０】
冷水、温水が流れる流路の長さを短縮させて、また効率方向をより緩慢にして、温水が流れるとき、発生させる抵抗を最小化して、それによる温水の効率を緩慢にして、また温水の流れを常にヘッドの下部から上部に一貫性がある流れになるようにして、熱交換効率を向上させ、温水が流入されるヒートパイプ最後のヒートパイプの温度差が少なく、全体的に均一した温度分布になりようにするようなヒートパイプ設置方法は、これまでなかった。
【００１１】
【発明が解決しようとする課題】
本発明の目的を達成するため、温水又は冷水流入口と流出口をもつ多数のヘッドを連結管で連結して連結された各ヘッドの上部にヒートパイプを結合させる方法において、上記ヘッドを下部一側面に温水及び冷水が流入する流入口をもち、その反対側面に流出口をもつ構造に単一化して、水及び冷水が供給される側ヘッドの流出口を連結されるヘッドの流入口と連結管に連結して、ヘッド及びヒートパイプを設置した。
【００１２】
既存の一戸建て住宅用の暖房装置には、図２８に示すようにヒートパイプ１を蛇行するように設置し、ヒートパイプ１の両側管端２、３、を水１６９を貯留して加熱するように構成されている加熱槽４に接続してなるものが使用されており、加熱槽４内で加熱された温水ｗ１をヒートパイプ１内に循環させることにより、床暖房や部屋暖房をするようにしていた。
既存の農業ハウス用の暖房装置には、ハウス内に図２９に示すようにヒートパイプ５を巡回するように配管し、ヒートパイプの両側管端６、７を、水を貯留して加熱するように構成されている加熱装置８に接続してなるものが使用されており、加熱装置８内で加熱された温水をヒートパイプ５内に循環させることにより、ハウス内を暖房するようにしていた。
【００１３】
上記既存のパイプ式の暖房装置では、長いヒートパイプが必要になり、しかも、蛇行させたり、巡回させたりするため、パイプの曲げ加工が多くなるので、製作コストや、施工コストが割高になる。また、上記ヒートパイプ５の全長に恒るように温水を循環させるので、ヒートパイプ５の全体における熱伝導が遅く、暖房効率が悪いうえ、水あか（スケール）現象による破損の心配があり、磁場が発生するので、健康にも悪い。そのうえ、熱伝導のロスが多くなり、熱伝導性能が低下しやすく、熱伝導性能を高めようとすると、燃費が割高になる。そのため、エネルギー節減効果が乏しく、ランニングコスト（例えば、六畳間を暖房すると、５０万円〜６０万円位かかり、部屋全体が暖まるまでに３０分位かかった。）が割高になり、大規模な施設などの暖房には向かず、それだけ、用途に限界があるなどの問題点があった。
【００１４】
【発明が解決しようとする課題】
本発明は、上記従来の暖房装置における問題点を一気に解消しうる暖房装置を提供することを目的とするものである。
【００１５】
【課題を解決しようとする手段】
上記の目的を達成するために、本発明は、
（１）　請求項１のヒートパイプヘッド構造は、流入口を１４、１６をもち、内部に温・冷の流体が流れるようにして内部に挿入されたヒートパイプ２０に熱を伝達するヒートパイプにおいて、
上記流入及び流出口ロールヘッド本体１２の上部両側に並んで形成して、
流出口ヒートパイプロールヘッド本体１２の内部前後面に上下に突出して挿入されたヒートパイプ２０の外周面に密着して内部空間を２分割分割リブ１８をもちながら、上記分割リブ１８は上段が流体に含まれたエアーが流通されるように流入、流出口１４、１６の内周上面と流隔をもつようにして下段また流体が流通されるように下部キャップ２７面と流通をもつようにした、
ことを特徴とする。
（２）　請求項２のヒートパイプヘッド構造は、
流入及び流出口４２Ａ、４３をもち、内部に温・冷の流体が流出するようにして内部に挿入されたヒートパイプ２０に熱を伝達するヒートパイプヘッド２０Ａにおいて、
上記ヒートパイプヘッドを多数のヒートパイプ２０を共有できるように胴体に形成してヘッド本体１２の内部に一定の間隔に多数の分割板４４をを設置すると同時に、上段部が内上面と離隔されるようにして上部が互いに連通して幾つかのヒートパイプ室４５を形成して、各ヒートパイプ室４５の上面にヒートパイプ２０を結合するヒートパイプ室４５を２分割する分割リブ４７を形成して上記分割リブ４７の上段が流体に含まれるエアーが流通されるように内周上面と流隔をもつようにして下段また流体が回転して流通できるように下面と流隔をもつようにした、
ことを特徴とする。
（３）　請求項３の二重ヒートパイプ製造装置は、ヒートパイプ１０を挿入させ、気密に固定させるようにした真空室を具備し、
この真空室を真空させる真空ポンプ２３、固定されたヒートパイプ１０に熱媒体を注入する熱媒体注入装置３０が構成されたヒートパイプ、
ヒートパイプ製造装置２０にあっては、ヒートパイプ製造装置２０の案内孔２２に気密に注入され上下昇降しながら、
密封ネジ１７を投入するネジ案内孔３１を設置して、上記ネジ案内孔３１の内部に上下スライド移動可能になるように挿入設置されたガイド２４を構成して、上記のネジ案内孔３１の上部に露出されたガイド２４の上段には、回転用取っ手２５が設置されている、
ことを特徴とする。
（４）　請求項４の二重ヒートパイプ製造装置は、（３）項に記載の二重ヒートパイプ製造装置において、
ドライバー案内口４１下段部に上広下狭の形状をもち、密封ネジ１７の頭部がかからないようにしたことと同時に、一定な間隔で連結溝をもち、一定圧で密封ネジ１７を押せば、押されて排出されるようにした装着ヘッド３３が具備された、
ことを特徴とする。
（５）　請求項５の二重密封ヒートパイプ製造装置は、（３）項に記載の二重ヒートパイプ製造装置において、
上記ネジ案内管３１Ａの下段に密封ネジ１７の頭部より直径が小さなネジセッティング用伸縮チューブ３４が被う、
ことを特徴とする。
（６）　請求項６の二重密封ヒートパイプ製造装置は、（３）項に記載の二重ヒートパイプ製造装置において、
ガイド部４４の下段部側にネジ案内孔３１が形成されている、
ことを特徴とする。
（７）　請求項９のヒートパイプ結合が容易なヒートパイプヘッドは、ヒートパイプヘッド２０にヒートパイプ７９を挿入させて装着する構造において、
上記ヒートパイプ上段周りにネジ部２３Ａを形成して内部にＯリング装着頤を形成して、これに水密のためのＯリング９０を装着して、締結ナット８３のジョイント孔８５を上部から下部に強制挿入した状態でヒートパイプ７９のネジ部７６に締結ナット８４を締結させて、ヒートパイプ７０を強制挿入装着するようにした、
ことを特徴とする。
（８）　請求項１０のヒートパイプ設置方法は、温水また冷水流入口３６と流出口３８をもつ多数の装着ヘッド３３を互いに連結管３９で連結して連結された各装着ヘッド３３の上部にパイプ２０を結合させて設置する方法において、
上記ヘッド３０の下部一側面に温水及び冷水が流入する流入口３６をもち、その反対側面上部に冷水流出口３８をもつ構造を単一化しえて、このような装着ヘッド３３を温水又は冷水が流れる方向に傾いて配置すると同時に、温水及び冷水が供給される側ヘッド３３の流出口３８を連結するヘッド３３の冷水流入口３６に連結して、ヘッド３３及びヒートパイプ２０を傾斜するように設置する、
ことを特徴とする。
（９）　請求項１１の冷暖房装置は、熱媒体が充填されているジェットパイプ１２０を並列するように配置し、
このジェットパイプ１２０の一方の管端に温水（上記を含む。）又は冷水を通すヒートパイプ１２８を接続することにより構成することを、
特徴とする。
（１０）　請求項１２の冷暖房装置は、（１１）項に記載の冷暖房装置において、
ヒートパイプ１２８が電熱により加熱される加熱装置に接続されている、
ことを特徴とする。
（１１）　請求項１３の冷暖房装置は、（１２）項記載の冷暖房装置において、
加熱装置がボイラーである、
ことを特徴とする。
（１２）　請求項１４の冷暖房装置は、（１１）項に記載の冷暖房装置において、
ヒートパイプ１６５がエンジンに接続されている、
ことを特徴とする。
【００１６】
【発明の実施の形態】
次ぎに、本発明の実施の形態を図面に基づき説明する。
図１は本発明によるヒートパイプヘッドの構造を表す斜視図、図２は本発明によるヒートパイプ密封部の拡大分離斜視図、図３は本発明によるヒートパイプヘッドの設置状態断面図、図４は図３のＡ―Ａ線図、図５は本発明によるＦＭＳヒートパイプの構造を表す断面図、図６は本発明によるによるヒートパイプ密封部拡大分離斜視図、図７は本発明の自動密封ネジの締結装置を表した断面図、図８は本発明の自動密封ネジ締結装置の構造を表した断面図、図９は本発明によるヒートパイプ密封部の拡大断面図、図１０は本発明によるヒートパイプの構造を表す断面図、図１１、図１２は本発明のネジヘッドの構造を表した部分拡大断面図、図１３は本発明の自動密封ネジ締結装置の構造を表した断面図、図１４は本発明の自動モップ宇ネジ締結装置の構造を示した断面図、、図１５は従来の技術による自動密封締結装置の構造を表した断面図、１６は本発明のヒートパイプヘッドの構造を表した斜視図、図１７は本発明のヒートパイプヘッドの分離断面図、図、図１８は保温発明のヒートパイプへっとが結合された状態の断面図図、図１９は本発明に夜ヒートパイプ設置状態図、図２０本発明によるヒートパイプの別の実施例の設置状態図、図２１は本発明によるヒートパイプ設置状態図、図２２は図２１の総断面図、図２３は図１７の総断目図、図２４は本発明に係る断簿ｙそうちを一戸建て住宅に設備した状態を概略的に示す図、図２５は本発明に係る単口ヘッドタイルの暖房装置一戸建て住宅の床下に設備した状態を示す側面構造図、図２６本発明に係る両口ヘッドタイプの暖房装置を一戸建て住宅の床下に設備した状態を示す側面構造図、図２７は図１９及び図２１に示した暖房装置において、ヒートパイプとして使用する通水管とジェットパイプとの接続構造を説明する図、図２８は本発明にかかる暖房装置を農業用ハウスに設備した状態を概略的に示す図、図２９は図２３に示した暖房装置において、ヒートパイプとして使用する通水管にジェットパイプが接続された状態を示す図、図３０ジェットパイプとｈ−とパイプの接合構造を説明する図、図３１はジェットパイプの電熱を伝達する電気回路が接続された状態を示す図、図３２は図２６に示したジェットパイプにより構成された暖房装置を示す斜視図、図３３は既存の暖房装置を一ｋだて住宅に設備した状態を概略的に示す図、図３４は既存の暖房装置を農業用ハウスに設備した状態を概略的に示す図である。
【００１７】
図１ないし図５においてヒートパイプ１０は、上下部両側面に冷水流入口１４及び冷水流出口１６がそれぞれ並んで形成されている。ヘッド本体１２の内部前後面には、挿入されたヒートパイプ２０の外周面に密着して内部空間を２分割する分割リブ１８が突出している。この分割リブ１８は上段が流入、冷水流出口１４、１６の内周上面と流隔をもつよう若干短く成形して流体に含まれて流れたエアーが別に流通するようにして、分割リブ１８の下段また下段キャップ２７と一定の流隔をもつように短く成形して流体が流通されるようにした。
図３の３ａにおいて流出口１６の断部には、隣接した他軸ヒートパイプ１０の冷水流入口１４が挿入されるように終部の内径が冷水流入口１４の外径に拡張されている。ヘッド本体１２の上部には、ヒートパイプ２０が挿入されるように開口されて開口された内周辺には、ネジ山が形成されている。開口部には、中央部にヒートパイプ２０が挿入されるように挿入孔２４が貫通して、上部は締結作業が容易であるように先端２５があり、先端２５の下段の周りには、ブランチ２６が形成されている。この時、気密維持のため、内部にパッキン２２が介在される。またヘッド本体１２の下部は、下段キャップ２７が融着結合されて内部中心には、一定の高さをもつ細いスペイサー板２８が突出している。これは、ヒートパイプ２０の挿入時、下部底と一定間隔離れるためのことである。
【００１８】
このような構成のために、ヒートパイプヘッド１０の冷水流入口１４の断部を挿入させて融着させて互いに連結した後、流体を流通させれば、流体は冷水流入口１４を通じてヘッド本体１２にて流入される。ヘッド本体１２の内部には、分割リブ１８が挿入設置され、ヒートパイプ２０の下段を過ぎ、もう一度上昇して、流入口１６に排出される。
これと同様に流体が上部から下部に回転しながら流れるようにして、よりヒートパイプ２０に充分に接触されるようにすることで、流体がもっている熱をヒートパイプ２０に効果的に伝達することができる。
特に、流体が上部から下部に回帰して流通する過程で、流体内に含まれるエアーは、流体と分割リブ１８の上段と上部内周面と離隔された隙間を通じて移送された後、もう一度流体と合流して流れるようにする。
【００１９】
このような現象のために、流体内に含まれたエアーは、一箇所に集まることなく、連続的に流通されるため、従来と同じく一箇所に空気が集まり、エアーショック現象が発生することとは違い、流体の循環障害はなく、より円滑に流体を流通させることができる効果がある。
特に、流体が各ヒートパイプ室４５（図４参照）から下部に下降するとき、流体内に含まれた気泡たちは軽いので、上部に集中することになるが、このとき、分割板４４（図４参照）上部の流隔を通じて排出され回転して、上昇する流体と一緒に流れることになり、エアーがヒートパイプ１０にいっぱいになり、エアークッションのために、発生される循環障害現象は発生されなくなる。よって、別にエアーを抜く面倒な作業を行うことはない。
【００２０】
流入及び流出口１４、１６をもち、内部に温・冷の流体が流れるようにして内部に挿入されたヒートパイプ１０に熱を伝達するヒートパイプヘッド１０Ａにおいて、上記流入及び流出口１４、１６をヘッド本体１２の上部両側に並んで形成して、ヘッド本体１２の内部前後面に上下に突出して挿入されたヒートパイプ２０の外周面に密集して内部空間を２分割する分割リブ１８は、上段が流体に含まれるエアーが流通するように流入及び流出口１４、１６の内周上面に流隔をもたせ、下段も同じく流体が流通するように流入及び流出口１４、１６の内周上面に流隔をもたせ、下段も同じく流体が流通されるよう下部キャップ２７で流隔をもたせて、流体が流入口１４を通じてヘッド本体１２の上部から下部に下降した後、もう一度上部に上降して、排出口に排出されるようにして、ヒートパイプ１０に流体が充分に接触されるようにして、ヒートパイプ１０の性能を向上させて達成される。図２において２２はパッキン、２３はジョイントボルト、２４は挿入口、２６はブランチ、２７はスペイサー板を示し、図５において４１はヘッド胴体、４２は注入口、４３は、４６はヒートパイプ挿入孔、４７は分割リブを示す。
【００２１】
図５ないし図７において、ヒートパイプ２４は、両側断部に密封のために栓３０、３１が差し込まれて溶接されているので、一側ヒートパイプ栓３２は注入口３３が形成されていて、別の栓３１は注入口３３がない。
注入口３３Ａが形成された栓３２Ｂは外側面中央部に敷溝３４が形成されていて、その敷溝３４内部中央に注入口３３が貫通形成されてあり、注入口３３の内周面にはアームネジ部３４Ａが形成されていて、またこれに締結する密封ネジ３５が具備されている。
敷溝３４の底面はアームネジ３４Ａで密封ネジ３５を案内するキョア面が形成されている。
即ち、真空状態から注入口３３を通じて熱媒体を注入させた後に密封ネジ３５をアームネジ部３４Ａに締結して密封させるためのものである。
また、密封状態を完璧に維持するために敷溝３４部の上段に密封キャップ３６を差し込み、その周りを溶接して二重に密封効果を得られることができる。
このような、ヒートパイプ２４は、１次にパイプ３７を必要とするくらいの長さで切断した後に、その両側に注入口３３がない栓３０と上述した注入口３３にアームネジ部３４Ａがある栓３１をそれぞれ差し込み溶接して、気密に結合させる。
２次に注入口３３が形成された栓３１側パイプ３７断部をヒートパイプ製造装置２０内に挿入させて真空ポンプ３８を作動させて、ヒートパイプ製造装置の内部とパイプ３７を真空させる。
３次に真空完了すれば、熱媒体注入装置４０を作動させて熱媒体が注入口３３を通じてパイプ３７内に注入させる。
４次に熱媒体が注入完了すれば、ヒートパイプ製造装置３９の上部に設置されたネジ案内口４１を注入口３３に接近させて、その内部に設置したドライバー軸部を回転させて密封ネジ３５を注入口３３に締結させる。
これと同じく密封ネジ３５を注入口３３に締結することでヒートパイプ２４を密封させることができるが、より一層の完璧を加えるために、栓３１の敷溝３４上段に密封キャップ３６Ａを差し込んで密封させることができる。
この時、密封キャップ３６を結合する工程は、ヒートパイプ製造装置の内部から実施することができるが、ヒートパイプ２４をヒートパイプ製造装置３９から分離させた後に密封キャップ３６を差し込んで溶接作業をすることもできる。
【００２２】
このようなヒートパイプ製造は、ヒートパイプ製造装置２０が後押ししてくれることより可能である。
ヒートパイプ２４を製造するヒートパイプ製造装置は、一側にヒートパイプ２４が挿入固定されるヒートパイプ固定孔４５Ａが形成されているその反対側部には、密封ネジ３５締結装置が設置される案内孔３９が設置されていて、この時、ヒートパイプ２９が挿入固定する固定孔４５と後述される密封ネジ３５締結装置の孔内部には、真空時外部の空気が流入されないように密封維持装置が多重に設置されている。また、ヒートパイプ製造装置の側面部には、図面に図示されてはいないが、密封作業状態を外部から確認できるようにネジ案内孔４０に透視窓が設置されている。
【００２３】
このような本発明の装置において、要所は密封ネジ３５締結装置である。
密封ネジ３５締結装置は、ヒートパイプ製造装置の案内孔３９に気密に挿入され、上昇下降しながら密封ネジ３５を案内するネジ案内孔４０とその内部に２重に設置されるドライバー軸部で構成されている。
ドライバー案内口の上段は、ブランチ２６が設置されていて、下段部には、密封ネジ３５をヒートパイプ栓３１の注入口３３まで移送が可能なように透明なガラスでネジ案内孔４０が設置されている。
ネジ装着ヘッドはドライバー軸部の下段が上広下狭した形状をもつようにして密封ネジ３５の頭部がかかるようにして、またこれと同時に周りに連結溝が一定の間隔で形成され、セッティングされた密封ネジ３５を下部に加圧すれば、隙間ができ、排出されるようにできている。この時、ネジ装着ヘッド５２の替りに図９の９ｂと同じく密封ネジ３５頭部より小さい直径をもつ伸縮性が良い伸縮チューブをかぶせることもできる。
【００２４】
また、ドライバー軸部はドライバー内管より長さが長く上段がドライバー案内口外部に露出していて、その上部には、ドライバー軸部を回転させることが容易なように取っ手５５が設置されている。
また、ネジ案内口とドライバー軸部５４はヒートパイプ製造装置２０の内部に収縮作動するようになっているので、真空効率のために気密性を維持しなければならない。
真空効率を阻害することができる部分は、ネジ案内孔４０とヒートパイプ製造装置２０の案内口４０そしてネジ案内孔４０とその内部のドライバー軸部間の空間が脆弱な部分である。
ネジ案内孔４０とヒートパイプ製造装置２０のネジ案内口４０間の空間は管内口３９Ａに設置した気密装置により気密性を維持できて、ネジ案内孔４０とドライバー軸部４７間のドライバー軸部４７の周りにＯリング溝を形成して、これにＯリングを設置するとか、ネジ案内口のドアに空気が抜けないように特別な装置をして、気密性を維持することができる。
【００２５】
このような構造の密封ネジ３５締結装置が設置され、ヒートパイプ製造装置２０を密封させるときには、初め注入口３３をもつパイプ３７断部をヒートパイプ製造装置の固定孔４５に挿入させて固定させることと、同じくドライバー案内口４１下部に密封ネジ３５を差し込んで装着した次ぎにネジ案内口４０を引き続いて次はピンセットでネジ装着ヘッドにネジを挿入させる。
密封ネジ３５をネジ装着ヘッドに装着するとき、ドライバー案内口下部に形成されたネジ案内口４０を通じて装着をすれば、容易に装着できる。
この状態から、案内孔４１を通じて真空室内部に挿入させて、ヒートパイプ製造装置２０を作動させて真空室を真空させた後、熱媒体注入装置を通じて熱媒体をヒートパイプ２０の注入口３３に注入する。
パイプ３７内に熱媒体が充填されれば、ネジ装着ヘッドにネジを押しておけば、その部分をヒートパイプ２４注入口３３に接近させて、ドライバー軸部を下降させて、密封ネジ３５を押しながら回転させる。
この作動により密封ネジ３５はネジ装着ヘッド、また伸縮チューブが外れるようになり、注入口３３に強固に締結されて密封される。
【００２６】
この状態から真空室に真空状態を解体させて、ヒートパイプ２４をヒートパイプ製造装置から分離させた後に、敷溝部上部に密封キャップ３６をおいて溶接させて完成する。
図７は本発明の自動密封ネジ締結装置の構造を表した断面図であり、上述した通りにヒートパイプ製造装置に密封ネジ締結装置を手動で作動をさせることもできるが、図７と同じく自動作動させることもできる。
自動密封ネジ締結装置は、ヒートパイプ製造装置２０のドライバー案内口４１に気密に挿入され上昇下降しながら密封ネジ３５をセットするドライバー案内口４１と、その内部に二重に設置されるドライバー軸部３５を昇下降させる駆動装置と、ドライバー軸部３５を上下移動可能にする昇下降装置及びドライバー軸部３５を回転させ密封ネジ３５をヒートパイプ栓３１の注入口３３に締結する回転駆動装置で構成されている。
ドライバー軸部を昇下降させる駆動装置は、底面にドライバー軸部を結合して昇下降可能にささえて可動フレイム４２Ａと、この可動フレイム４２Ａを昇下降シリンダー６８で構成されている。
可動フレイム４２Ａは周りにドライバー軸部３５が垂直に昇下降されるようにガイド部４４が設置されていて、その中央部に上昇した昇下降シリンダー４７Ａが設置される。
また、可動フレイムの上部には、ドライバー軸部３５内部のガイド部４４を上下移動可能にする昇下降シリンダー４７Ａ及びガイド部４４を回転させ、密封ネジ３５をヒートパイプ栓３１の注入口３３に締結する回転駆動装置４８が設置され結局ドライバー案内口４１と一緒に昇下降しながらガイド部４４ば独立的に昇下降及び回転運動可能にするようにできている。
【００２７】
このような構造により、ヒートパイプ２０Ａを密封させるときには、注入口３３をもつヒートパイプ２０Ａ断部をヒートパイプ製造装置２０Ｃの固定孔４５に挿入させ固定させることと同じくドライバー案内口４１の下部に密封ネジ３５を挿入し装着した後に、昇下降シリンダーを作動させて、ドライバー案内口４１をヒートパイプ製造装置のドライバー案内口４１に１次的に挿入させる。密封ネジ３５をドライバー案内口に装着するとき、ドライバー案内口６０の軸部に形成したネジ案内口４６Ａを通して装着すれば、容易に装着される。
この状態からネジ案内口４６Ａの門を閉めた後、真空ポンプ６９を作動させて、真空室内部を真空させた後、熱媒体注入装置を通じてヒートパイプ２０Ａの注入口３３に熱媒体を注入する。
ヒートパイプ２０Ａ内に熱媒体が充填されれば、もう一度昇下降シリンダー４７Ａを作動させてドライバー案内口４１の断部をヒートパイプ栓３２の注入口３３に接近させ、注入口３３に密封ネジ３５が位置するようにする。そしてドライバー軸部を昇下降させる昇下降シリンダー４７Ａを作動させることと同時に、回転駆動装置を作動させ、ドライバー軸部を下降させながら密封ネジ３５を回転させる。この作動により密封ネジ３５は、ネジ装着ヘッドまた伸縮チューブが外れながら回転して注入口３３に強固に締結され密封される。
【００２８】
この状態から真空室の真空状態を解体させてヒートパイプ２０をヒートパイプ製造装置２０Ａから分離させた後に、敷溝３４部上段に密封キャップ３６をおいて図７と同じく二重密封する。
【００２９】
上記目的を達成するために本発明は、ヒートパイプヘッド２０Ｂの上段にヒートパイプ２０を挿入装着することにおいて、下段部にヒートパイプの抜けを防止する逆離脱防止頤及び下段周りにかかる頤を形成したジョイント口を具備して、内周面にヒートパイプ２０の上段に締結されるネジ部２１Ａを形成して、上部にジョイント口の外径を内径にするジョイント孔が形成された締結ナットを構成して、上記ヒートパイプ２０のヘッド上段周りにネジ部を形成して内部にはＯリング装着頤を形成してＯリングを装着して、上記締結ナットのジョイント孔にジョイント口を上部から下部に強制挿入させた状態からヒートパイプのネジ部に締結ナットを締結させてヒートパイプを強制挿入させて装着させることである。
【００３０】
図１１ないし図１４において、ヒートパイプヘッド７４は一側上段と一側下段に隣接するヒートパイプヘッド７４と熱媒体を共有するように連結管８０、８１が形成されている。
連結管８０、８１は互いに融着また接着して連結されたり、形成時一つの本体に形成される。またヒートパイプヘッド７４の下段は塞がれていて、上段にはヒートパイプ７９が水密性をもちながら挿入されるようにできている。
このような本発明のヒートパイプヘッド７４上段部には、ヒートパイプ７９が一度の強制挿入操作により水密性を維持しながら強固に装着されるようにジョイント口８２が結合された締結ナット８３が結合される。
締結ナット８３は内周面にネジ部８４が形成されていて、中央部にはジョイント口８２の外径を内径にするジョイント口８２が形成されている。またヒートパイプヘッド７４の上段周りにはネジ部８７が形成され締結ナット８８がこのネジ部８７に強固にネジ締結される。
ヒートパイプヘッド７３の上段内部にはＯリング装着頤８９が形成されていて、これにＯリング９０が装着される。Ｏリング９０はヒートパイプ７９の直径より若干小さく形成されていて、また外径はヒートパイプヘッド７４の上段内径より若干大きく形成されていることで、ヒートパイプ７９がはめられれば、ヒートパイプ７４とヒートパイプヘッド７４の間の空間をＯリング９０が確実に遮断してくれるようになる。
【００３１】
このような本発明のヒートパイプ７９はヒートパイプヘッド７４の上段内側Ｏリング装着頤にＯリング９０を装着して締結ナットのジョイント口８５にジョイント口９３下段を位置させ強制挿入させれば、Ｏリング９０たちが内部に収縮しながら挿入されることになり、ジョイント口８５を通るようになれば自体弾性力により、もう一度従来の位置に伸びる。
この状態から、締結ナット８３をヒートパイプ７９に結合させれば組立が完了する。
一方、上述した通り、結合したヒートパイプ７９を維持、補修のために分解したり、また交換しようとするときには、設置したヒートパイプ７９を分離させなければならない。
このときには、締結ナット８３をヒートパイプヘッド７４から解いた場合、ジョイント口８５のＯリング９０を加圧している締結ナット８３のジョイント口８６がジョイント口８５の上部に上がりＯリング９０を自由にさせるので、ヒートパイプ７９の表面を加圧していたＯリング９０が緩みヒートパイプが逆に円滑に抜くことができる。
【００３２】
図１６ないし図１８において、ヒートパイプ７９が傾くように設置されていて、その下段に結合するヘッド９４も同じように傾くように設置されている。ヒートパイプ７９の上部には、横に設置された横棒によって支えられている。ヘッド９４は下部が塞がれた短い管でできてあり、上段部は開口されていて、これを通るヒートパイプ７９の下段部が適当な深さで気密で強固に挿入結合される。
同じく、ヒートパイプ７９は、温水及び冷水が流入される側面の下部に直角方向に温水又は冷水流入口９８が形成されその反対面上部には流出口９９が形成されている。よって、ヒートパイプ７９と別のヒートパイプ７９を連結させるときには、温水又は冷水が供給される側のヘッド９４の上部に形成された流出口７９とこれと連結されるヘッド９４の下部に形成した流入口９７を連結管１０４に融着連結させる。
これと同じく、ヘッド９４を連結させれば、自然にヘッド９４の方向が傾斜して、これに結合された各ヒートパイプ７９又はヘッド９４の傾斜角に傾斜して設置される。傾斜したヘッド９４内を流れる温水又は冷水の流れを見れば、供給される温水又は冷水がヘッド９４の下部流入口９８から下方に傾斜した状態で流入され、もう一度上向に傾斜したヘッド９４本体に上昇されながら結合したヒートパイプと熱交換された後、下向に傾斜した流出口９７を通じて下向に傾斜して排出され連結したヘッド９４の下部に下向に傾斜した下部流入口９９に流入される。これと同じく温水又は冷水の効率向上ヘッド９４の下部に流入されて、上部に排出される一貫性を保つ。そして温水又は冷水が流れる管路が短く管水量が少なくなり、温水の供給が迅速になり熱損失なく、各部分熱を迅速に供給することができる。
【００３３】
反面、上述したことと同じくヒートパイプ７９が傾斜されるように設置されれば、ヒートパイプの周辺の空気と熱交換効果がより活発に行われる。即ち、熱は下部から上部に上昇する性質があるので、ヒートパイプ７９が垂直に設置されていれば、大部分の熱はヒートパイプ７９を通り上昇されて周辺の空気を過熱させる効率が落ちる。しかし、ヒートパイプ７９が傾斜した状態であれば、熱は広い側に上昇するようになる。これは、その周辺の空気と速い速度で熱交換されまた早く大流現象が発生することになり、ヒートパイプ７９の熱交換効率が向上される。特に、ヒートパイプ７９の周りに放熱板を巻けば、より熱交換作用が活発に行われる。
図１６と同じくヒートパイプ７９を垂直に設置した。このヒートパイプ７９は下部にヘッドが設置されヘッド内に流れる温水又は冷水の温度の熱伝導効果が優れたヒートパイプ７９が伝達して周辺の空気を暖めたり、冷やしたりさせて、冷暖房するようになっている。
住宅用暖房として使用しようとするときは、このヒートパイプ７９を水平に設置すれば、水が流れるときに発生する抵抗を最小化させ、温水の流れが速くなり、熱交換効率をより一層向上させる画期的な冷暖効果を得ることができる。
ヘッドは、下段部が塞がった小径管形状であり、二つのタイプを交互に配置して連結する。即ち、下部一側面に温水又は冷水流入口をもち、その反対側上部に温水又は冷水流出口をもつヘッドタイプ７９と、上部一側面に温水又は冷水流入口をもち、その反対側面上部に流出口をもつヘッドイプ７９など、二つのタイプがある。
よって、設置するとき互いに交互に配置してヘッドの側面下部流入口１１６に温水又は冷水供給管を連結して反対側面上部形成された流出口を連結するヘッドの側面上部に形成された流入口と連結管を融着連結して、同一本体の下部に形成された流出口は続いて連結されるヘッド下部の流入口と連結される構造で連続して連結する。また、各ヘッドの上段は開口されていて、これにヒートパイプ７９を気密に挿入固定させるようにした。
【００３４】
このようなヘッドの連結構造のため、温水又は冷水の流れはヘッド９４の下部に垂直に上昇し結合されたヒートパイプ７９は熱交換され、これは、もう一度直角に方向転換され、流出口孔を通じて連結されたヘッドの流入口９７に流入される。ヘッドの流入口９７に流入された温水又は冷水は、もう一度直角に方向転換して垂直下方向に流れながらヒートパイプ７９と熱交換された後に、もう一度直角に方向転換して下部流出口を通じて連結されたヘッドが流入口９７に流れる過程を反復するようになる。
ヒートパイプ７９と熱交換された後、下向に傾斜した流出口を通じて下向に傾斜して排出され連結したヘッドの下部に下向に流入口９７に流入される。これと同じく温水又は冷水の効率向上ヘッドの下部に流入されて、上部に排出される一貫性を保つ。そして温水又は冷水が流れる管路が短く管水量が少なくなり、温水の供給が迅速になり、熱損失なく各部分熱を迅速に供給することができる。
【００３５】
反面、上述したことと同じくヒートパイプ７９が傾斜されるように設置されれば、ヒートパイプ７９の周辺の空気と熱交換効率がより活発に行われる。即ち、熱は下部から上部に上昇する性質があるので、ヒートパイプ７９が垂直に設置されていれば、大部分の熱はヒートパイプ７９を通り上昇されて周辺の空気を過熱させる効率が落ちる。しかし、ヒートパイプ７９が傾斜した状態であれば、熱は広い側に上昇するようになる。これは、その周辺の空気と速い速度で熱交換され、また早く大流現象が発生することになり、ヒートパイプ７９の熱交換効率が向上される。特に、ヒートパイプ７９の周りに放熱板を巻けば、より熱交換作用が活発に行われる。図１９において、１２０はジェットパイプ、１２１はボルト、１２２はワッシャー、１２３はＯリング、１２４はヘッダー、１２５は連結口を示す。
【００３６】
図２０において１２６は一戸建て住宅用の暖房装置で、これは、熱伝導の良い気体などの熱伝導媒体が充填されているジェットパイプ１２０と、温水を通す通水管により構成されるヒートパイプ１２７とからなる。ジェットパイプ１２０は、住宅の床表面積に応じた暖房効果が得られる本数のジェットパイプを真っ直ぐに並列するように配管される。ヒートパイプ１２８は、ステンレス管、銅管、鋼管などを使用し、ジェットパイプ１２０の一方の管端１４８に接続する。１２９はヒートパイプ１２８の両側管端１４９、１５０を接続する加熱槽で、槽内に貯留されている水１３０を加熱し、その加熱により得られる温水をヒートパイプ１２８に循環させる。なお、ジェットパイプ１２８には、上記温水は循環しない。
【００３７】
図２１及び図２２には、住宅用の暖房装置の実施形態が示されている。図２１に示された暖房装置１３１は、基礎コンクリート１３２の上に断熱材１３３を介して設置した角木１３４の上に単口ヘッド１３５を有する通水管１３６を設置し、ジェットパイプ１２７を通水管１３６から見て昇り勾配となるように基礎コンクリート１３２から立ち上がる受台１３７で受け止め、ジェットパイプ１２７の降下した管端１３８を単口ヘッド１３５に接続してなる。図２０において、１３９は通水管１３６を基礎コンクリート１３２に固定するモルタルを示し、１３９Ａは美装モルタルラインを示す。
【００３８】
図２１に示された暖房装置１４０は、基礎コンクリート１４１の上に断熱材１４２を介して設置した角木１４３の上に両口ヘッド１４４、１４５を有する通水管１４６、１４７を設置し、ジェットパイプ１２７を通水管１４６、１４７から見て昇り勾配となるように基礎コンクリート１４１から立ち上がる受台１５１で受け止め、ジェットパイプ１２７の下降した管端１５２、１５３を通水管１４６、１４７に接続してなる。図２２において１５４は通水管１４６、１４７を基礎にコンクリート１４１に固定するモルタルを示し、１５５は美装モルタルラインを示す。
【００３９】
上記の暖房装置１２６、１４０においては、図２２に示すように通水管１５６の単口ヘッド１５７、通水管１４６、１４７の両口ヘッド１４４、１４５にジェットパイプ１２７の両側管端１４９、１５０をゴム栓１６０、ワッシャー１６１、キャップボトル１６２を介して接続する。
【００４０】
図２３において１６３は農業ハウス用の暖房装置で、これは、熱伝導媒体、例えば熱伝導の良い気体などが充填されているジェットパイプ１６４と、温水を通す通水管により構成されるヒートパイプ１６５とからなる。ジェットパイプ１６４には、農業用ハウスの容積に応じた暖房効果が得られる本数のジェットパイプを傾斜させて並列するように配管する。ヒートパイプ１６５は、ステンレス管、銅管、鋼管などを使用し、ジェットパイプ１６４の一方の管端１６５Ａに接続する。１６６はヒートパイプ１６５の両側管端１６７、１６８を接続する加熱槽で、槽内に貯留されている水１６９を加熱し、その温水をヒートパイプ１６５内に循環させる。なお、ジェットパイプ１６４には、上記温水は循環しない。
【００４１】
ジェットパイプ１６４と、その一方の管端に接続したヒートパイプ１６５は、図２５に示すように３０度、４５度、９０度その他任意の角度に傾斜させて設置することが可能である。
上記暖房装置１６３においては、図２５に示すようにエアロフィン１６９を有するジェットパイプ１６５の管端１７０を、ゴム栓１７１、ワッシャー１７２、キャップボルト１７３を介して接続する。
【００４２】
図２７及び図２９において、１７４は電気式の暖房装置で、電源１７５と各ヒートパイプ１７６の一方の管端との間に発熱抵抗器１７７が接続されている電源線１７８を接続し、ヒートパイプ１７６の他方の管端には、熱伝導のよい気体なが充填されているジェットパイプを接続してなる。図２８において１７９は電源線１７８に接続され、電源１７５に接続されたコンセントに差し込むプラグ、１８０はコントロールボックス、１８１は各ヒートパイプ１７６により構成されたヒーター、１８２は熱感知線、１８３はヒーターボックスを示す。
【００４３】
既存の暖房装置と、本発明に係る暖房装置における消費電力量の暖房温度到達試験を行ったところ、次ぎの表に示すような試験結果が得られた。
2004028431.tif 000003
【００４４】
本発明に係る暖房装置におけるジェットパイプは、従来の暖房装置におけるヒートパイプより約１，０００倍も速い熱伝導、白金の約５００倍、銅の約１，３００倍も速い熱伝導率を有し、熱湯や電熱などでパイプの一方の管端さえ加熱すれば、１ｍ当たり３秒の速さで熱を伝熱でき、熱伝導率がなんと９８．５％（１ｍ基準）にもなる。
【００４５】
本発明の実施形態の項では、ヒートパイプの両側管端を水の加熱装置や、発熱抵抗器が接続されている電源線に接続する例について説明したが、本発明は、これらに限定されるものではなく、ガソリンエンジン、電力エンジンなどのエンジン、その他暖房用の熱を発生しうる装置であれば、どのような装置でも採用しうる。
また、本発明の実施形形態の項では、ジェットパイプについて、直線状に配列する例について説明したが、本発明は、これに限定されるものではなく、設備される施設などの状況によっては、曲線状に配列することもある。
【００４６】
本発明の実施形態の項では、暖房装置を一戸建て用住宅や、農業ハウスに設備する例について説明したが、本発明は、これらに限定されるものではなく、
（１）　集合住宅、例えば、マンション、ビラ、ハイツ、ワンルームアパート、賃貸住宅など小規模な新築住宅や、既築住宅など、ホテル、旅館、オフィスビル、病院、学校、研修場、寮、軍部隊などの住宅暖房、
（２）　ガラス温室、ビニルハウス、特に、バラ、チューリップ、白百合、菌、プチトマト、唐辛子、キノコを栽培する温室や、特用作物、メロン、すいかその他の果実など各種作物を栽培する温室、一定の温度維持が要求される養魚場や、温水プール、恒温装置、スッポンその他の生物の養殖場、ふ化場、豚舎その他家畜飼育用ハウス、畜産施設、農産物乾燥機、農作物栽培温室などの設備暖房、
（３）　工場、商業ビル、その他のビル、研究機関（実験研究室）、農産物乾燥機、農作物栽培温室などの産業用暖房、
（４）　サウナ、セラミックベッド、蒸し風呂などの健康暖房、
（５）　自動車、列車、船舶、航空機などの乗物用冷暖房、
（６）　ボイラー排出ガスの熱をリサイクルする排熱回収機、冷風機、温風機、冷温倉庫、魔法瓶、乾燥台、乾燥炉、その他の家庭用暖房機、ＣＰＵ冷却、クリーンルーム、恒温恒湿機、通信中継冷却装置その他各種の情報通信機器、設備冷却、流圧冷却、乾燥炉、排熱回収機、熱交換機その他各種機械機器、代替エネルギーと共に太陽熱、地熱、水素ガス利用、廃水処理設備（養魚場）、メタンガス利用などの環境改善、常時結氷地での製氷システムなど特殊分野の暖房装置、
（７）　炭酸ガス排出規制対応、
など様々に活用することができる。
【００４７】
図９と図２１に説明した暖房装置の設備態様（各暖房方式における暖房設備設置位置と、対応する住宅の構造）は、次ぎに示す通りである。
１．個人住宅（居室・浴室）の暖房・融雪設備
１．１　温水式床暖房
（１）床・根太間に設置　　　　　　　　　　木造・鉄骨造・コンクリート造
（２）床・根太上に設置　　　　　　　　　　同上
（３）床・根太上・畳内に設置　　　　　　　同上
（４）床・２重床上に設置　　　　　　　　　同上
（５）床・軽量コンクリート内に設置　　　　鉄骨造・コンクリート造
（６）床・モルタル内に設置　　　　　　　　同上
１．２　温水式壁暖房
（１）壁・間柱間に設置　　　　　　　　　　木造・鉄骨造・コンクリート造
（２）壁・間柱、室内側設置　　　　　　　　同上
（３）壁モルタル内に設置　　　　　　　　　鉄骨造・コンクリート造
１．３　温水式屋根・融雪設備
（１）屋根・垂木間に設置　　　　　　　　　木造・鉄骨造・コンクリート造
（２）屋根・垂木上に設置　　　　　　　　　同上
（３）屋根・軽量コンクリート内に設置　　　鉄骨造、コンクリート造
（４）屋根・モルタル内に設置　　　　　　　同上
１．４　温水式（温泉水利用）床暖房
（１）床・根太間に設置　　　　　　　　　　木造・鉄骨造・コンクリート造
（２）床・根太上に設置　　　　　　　　　　同上
（３）床・根太上・畳内に設置　　　　　　　同上
（４）床・２重床上に設置　　　　　　　　　同上
（５）床・軽量コンクリート内に設置　　　　鉄骨造・コンクリート造
（６）床・モルタル内に設置　　　　　　　　同上
１．５　温水式（温泉水利用）壁暖房
（１）壁・間柱間に設置　　　　　　　　　　木造・鉄骨造・コンクリート造
（２）壁・間柱、室内側設置　　　　　　　　同上
（３）壁モルタル内に設置　　　　　　　　　鉄骨造・コンクリート造
１．６　温水式（温泉水利用）屋根融雪設備
（１）屋根・垂木に設置　　　　　　　　　　木造・鉄骨造・コンクリート造
（２）屋根・垂木上に設置　　　　　　　　　同上
（３）屋根・軽量コンクリート内に設置　　　鉄骨造・コンクリート造
（４）屋根・モルタル内に設置　　　　　　　同上
１．７　電気式床暖房
（１）床・根太間に設置　　　　　　　　　　木造・鉄骨造・コンクリート造（２）床・根太上に設置　　　　　　　　　　同上
（３）床・根太上・畳内に設置　　　　　　　同上
（４）床・２重床上に設置　　　　　　　　　同上
（５）床・軽量コンクリート内に設置　　　　鉄骨造・コンクリート造
（６）床・モルタル内に設置　　　　　　　　同上
１．８　電気式壁暖房
（１）壁・間柱間に設置　　　　　　　　　　木造・鉄骨造・コンクリート造（２）壁・間柱、室内側設置　　　　　　　　木造・鉄骨造・コンクリート造
（３）壁モルタル内に設置　　　　　　　　　鉄骨造・コンクリート造
１．９　電気式屋根・融雪設備
（１）屋根・垂木間に設置　　　　　　　　　木造・鉄骨造・コンクリート造
（２）屋根・垂木上に設置　　　　　　　　　同上
（３）屋根・軽量コンクリート内に設置　　　鉄骨造、コンクリート造
（４）屋根・モルタル内に設置　　　　　　　同上
２．共同住宅、保育・幼稚園、学校、病院、高齢者、公共施設、飲食店、教会等施設の暖房・融雪設備
２．１　温水式床暖房
（１）床・根太間に設置　　　　　　　　　　鉄骨造・コンクリート造
（２）床・根太上に設置　　　　　　　　　　同上
（３）床・根太上・畳内に設置　　　　　　　同上
（４）床・２重床上に設置　　　　　　　　　同上
（５）床・軽量コンクリート内に設置　　　　同上
（６）床・モルタル内に設置　　　　　　　　同上
２．２　温水式壁暖房
（１）壁・間柱間に設置　　　　　　　　　　鉄骨造・コンクリート造
（２）壁・間柱、室内側設置　　　　　　　　同上
（３）壁モルタル内に設置　　　　　　　　　同上
２．３　温水式屋根・融雪設備
（１）屋根・垂木間に設置　　　　　　　　　鉄骨造・コンクリート造
（２）屋根・垂木上に設置　　　　　　　　　同上
（３）屋根・軽量コンクリート内に設置　　　同上
（４）屋根・モルタル内に設置　　　　　　　同上
２．４　温水式（温泉水利用）床暖房
（１）床・根太間に設置　　　　　　　　　　鉄骨造・コンクリート造
（２）床・根太上に設置　　　　　　　　　　同上
（３）床・根太上・畳内に設置　　　　　　　同上
（４）床・２重床上に設置　　　　　　　　　同上
（５）床・軽量コンクリート内に設置　　　　同上
（６）床・モルタル内に設置　　　　　　　　同上
２．５　温水式（温泉水利用）壁暖房
（１）壁・間柱間に設置　　　　　　　　　　鉄骨造・コンクリート造
（２）壁・間柱、室内側設置　　　　　　　　同上
（３）壁モルタル内に設置　　　　　　　　　同上
２．６　温水式（温泉水使用）屋根融雪設備
（１）屋根・垂木間に設置　　　　　　　　　鉄骨造・コンクリート造
（２）屋根・垂木上に設置　　　　　　　　　同上
（３）屋根・軽量コンクリート内に設置　　　同上
（４）屋根・モルタル内に設置　　　　　　　同上
２．７　電気式床暖房
（１）床・根太間に設置　　　　　　　　　　鉄骨造・コンクリート造
（２）床・根太上に設置　　　　　　　　　　同上
（３）床・根太上・畳内に設置　　　　　　　同上
（４）床・２重床上に設置　　　　　　　　　同上
（５）床・軽量コンクリート内に設置　　　　同上
（６）床・モルタル内に設置　　　　　　　　同上
２．８　電気式壁暖房
（１）壁・間柱間に設置　　　　　　　　　　鉄骨造・コンクリート造
（２）壁・間柱、室内側設置　　　　　　　　同上
（３）壁モルタル内に設置　　　　　　　　　同上
２．９　電気式屋根・融雪設備
（１）屋根・垂木間に設置　　　　　　　　　鉄骨造・コンクリート造
（２）屋根・垂木上に設置　　　　　　　　　同上
（３）屋根・軽量コンクリート内に設置　　　同上
（４）屋根・モルタル内に設置　　　　　　　同上
３．工場・倉庫等の暖房・融雪設備
３．１　温水式床暖房
（１）床・軽量コンクリート内に設置　　　　鉄骨造・コンクリート造
（２）床・モルタル内に設置　　　　　　　　同上
３．２　温水式壁暖房
（１）壁・間柱間に設置　　　　　　　　　　木造・鉄骨造・コンクリート造
（２）壁・間柱、室内側設置　　　　　　　　同上
（３）壁モルタル内に設置　　　　　　　　　鉄骨造・コンクリート造
３．３　温水式屋根・融雪設備
（１）屋根・垂木間に設置　　　　　　　　　木造・鉄骨造・コンクリート造
（２）屋根・垂木上に設置　　　　　　　　　同上
（３）屋根・軽量コンクリート内に設置　　　鉄骨造・コンクリート造
（４）屋根・モルタル内に設置　　　　　　　同上
３．４　温水式（温泉水利用）床暖房
（１）床・軽量コンクリート内に設置　　　　鉄骨造・コンクリート造
（２）床・モルタル内に設置　　　　　　　　同上
３．５　温水式（温泉水利用）壁暖房
（１）壁・間柱間に設置　　　　　　　　　　木造・鉄骨造・コンクリート造
（２）壁・間柱、室内側設置　　　　　　　　同上
（３）壁モルタル内に設置　　　　　　　　　鉄骨造・コンクリート造
３．６　温水式（温泉水使用）屋根融雪設備
（１）屋根・垂木間に設置　　　　　　　　　木造・鉄骨造、コンクリート造
（２）屋根・垂木上に設置　　　　　　　　　同上
（３）屋根・軽量コンクリート内に設置　　　鉄骨造・コンクリート造
（４）屋根・モルタル内に設置　　　　　　　同上
３．７　電気式床暖房
（１）床・軽量コンクリート内に設置　　　　鉄骨造・コンクリート造
（２）床・モルタル内に設置　　　　　　　　同上
３．８　電気式壁暖房
（１）壁・間柱間に設置　　　　　　　　　　鉄骨造・コンクリート造
（２）壁・間柱、室内側設置　　　　　　　　同上
（３）壁モルタル内に設置　　　　　　　　　同上
（４）屋根・垂木間に設置　　　　　　　　　鉄骨造・コンクリート造
３．９　電気式屋根・融雪設備
（１）屋根・垂木間に設置　　　　　　　　　鉄骨造・コンクリート造
（２）屋根・垂木上に設置　　　　　　　　　同上
（３）屋根・軽量コンクリート内に設置　　　同上
（４）屋根・モルタル内に設置　　　　　　　同上
４．鶏舎、豚舎、牛舎、動物舎、水族館等の暖房・融雪設備
４．１　温水式床暖房
（１）床・軽量コンクリート内に設置　　　　木造・鉄骨造・コンクリート造
（２）床・モルタル内に設置　　　　　　　　同上
４．２　温水式壁暖房
（１）壁・間柱間に設置　　　　　　　　　　木造・鉄骨造・コンクリート造
（２）壁・間柱、室内側設置　　　　　　　　同上
（３）壁モルタル内に設置　　　　　　　　　鉄骨造・コンクリート造
４．３　温水式屋根・融雪設備
（１）屋根・垂木間に設置　　　　　　　　　木造・鉄骨造・コンクリート造
（２）屋根・垂木上に設置　　　　　　　　　同上
（３）屋根・軽量コンクリート内に設置　　　鉄骨造・コンクリート造
（４）屋根・モルタル内に設置　　　　　　　同上
４．４　温水式（温泉水利用）床暖房
（１）床・軽量コンクリート内に設置　　　　木造・鉄骨造・コンクリート造
（２）床・モルタル内に設置　　　　　　　　同上
４．５　温水式（温泉水利用）壁暖房
（１）壁・間柱間に設置　　　　　　　　　　木造・鉄骨造・コンクリート造
（２）壁・間柱、室内側設置　　　　　　　　同上
（３）壁モルタル内に設置　　　　　　　　　鉄骨造・コンクリート造
４．６　温水式（温泉水使用）屋根融雪設備
（１）屋根・垂木間に設置　　　　　　　　　木造・鉄骨造、コンクリート造
（２）屋根・垂木上に設置　　　　　　　　　同上
（３）屋根・軽量コンクリート内に設置　　　鉄骨造・コンクリート造
（４）屋根・モルタル内に設置　　　　　　　同上
４．７　電気式床暖房
（１）床・軽量コンクリート内に設置　　　　鉄骨造・コンクリート造
（２）床・モルタル内に設置　　　　　　　　同上
４．８　電気式壁暖房
（１）壁・間柱間に設置　　　　　　　　　　鉄骨造・コンクリート造
（２）壁・間柱、室内側設置　　　　　　　　同上
（３）壁・モルタル内に設置　　　　　　　　　同上
４．９　電気式屋根・融雪設備
（１）屋根・垂木間に設置　　　　　　　　　鉄骨造・コンクリート造
（２）屋根・垂木上に設置　　　　　　　　　同上
（３）屋根・軽量コンクリート内に設置　　　同上
（４）屋根・モルタル内に設置　　　　　　　同上
５．ビニールハウス、ガラス温室等の暖房設備
５．１　温水式床暖房
（１）床・軽量コンクリート内に設置　　　　鉄骨造等
（２）床・モルタル内に設置　　　　　　　　同上
（３）床面に露出配管　　　　　　　　　　　同上
５．２　温水式壁暖房
（１）壁面に露出配管　　　　　　　　　　　鉄骨造等
（２）内部空間に露出配管　　　　　　　　　同上
５．３　温水式（温泉水利用）床暖房
（１）床・軽量コンクリート内に設置　　　　鉄骨造等
（２）床・モルタル内に設置　　　　　　　　同上
（３）床面に露出配管　　　　　　　　　　　同上
５．４　温水式（温泉水利用）壁暖房
（１）壁面に露出配管　　　　　　　　　　　鉄骨造等
（２）内部空間に露出配管　　　　　　　　　同上
５．５　電気式床暖房
（１）床・軽量コンクリート内に設置　　　　鉄骨造等
（２）床・モルタル内に設置　　　　　　　　同上
（３）床面に露出配管　　　　　　　　　　　同上
５．６　電気式壁暖房
（１）壁面に露出配管　　　　　　　　　　　鉄骨造等
（２）内部空間に露出配管　　　　　　　　　同上
６．自動車、バス等の乗物及びターミナル附属施設の暖房設備
６．１　電気式床暖房
（１）床・鉄板上に設置　　　　　　　　　　鉄板
６．２　電気式壁暖房
（１）壁面・鉄板内に設置　　　　　　　　　鉄骨造等
６．３　蒸気式床暖房
（１）床・鉄板上に設置　　　　　　　　　　鉄板
６．４　蒸気式壁暖房
（１）壁面・鉄板内に設置　　　　　　　　　鉄骨造等
７．電車等の乗物及びターミナル附属施設の暖房設備
７．１　電気式床暖房
（１）床・鉄板上に設置　　　　　　　　　　鉄板
７．２　電気式壁暖房
（１）壁面・鉄板内に設置　　　　　　　　　鉄板
８．飛行機等の乗物及びターミナル附属施設の暖房設備
８．１　電気式床暖房
（１）床・金属板等の上に設置　　　　　　　金属板
８．２　電気式壁暖房
（１）壁面・金属板等の内側に設置　　　　　金属板
９．船等の乗物の暖房設備
９．１　温水式床暖房
（１）床・鉄板上に設置　　　　　　　　　　鉄板
９．２　温水式壁暖房
（１）壁面・鉄板内に設置　　　　　　　　　鉄板
９．３　蒸気式床暖房
（１）床・鉄板上に設置　　　　　　　　　　鉄板
９．４　蒸気式壁暖房
（１）壁面・鉄板内に設置　　　　　　　　　鉄板
９．５　電気式床暖房
（１）床・鉄板上に設置　　　　　　　　　　鉄板
９．６　電気式壁暖房
（１）壁面・鉄板内に設置　　　　　　　　　鉄板
１０．建物周り舗装面の融雪設備
１０．１　温水式舗装面融雪設備
（１）コンクリート内に設置　　　　　　　　同左
（２）軽量コンクリート内に設置　　　　　　同左
（３）モルタル内に設置　　　　　　　　　　同左
（４）アスファルト舗装内に設置　　　　　　同左
１０．２　温水式（温泉水利用）舗装面融雪設備
（１）コンクリート内に設置　　　　　　　　同左
（２）軽量コンクリート内に設置　　　　　　同左
（３）モルタル内に設置　　　　　　　　　　同左
（４）アスファルト舗装内に設置　　　　　　同左
１０．３　電気式舗装面融雪設備
（１）コンクリート内に設置　　　　　　　　同左
（２）軽量コンクリート内に設置　　　　　　同左
（３）モルタル内に設置　　　　　　　　　　同左
（４）アスファルト舗装内に設置　　　　　　同左
１１．道路（車道・歩道・スロープ等）舗装面の融雪設備
１１．１　温水式舗装面融雪設備
（１）コンクリート内に設置　　　　　　　　同左
（２）軽量コンクリート内に設置　　　　　　同左
（３）モルタル内に設置　　　　　　　　　　同左
（４）アスファルト舗装内に設置　　　　　　同左
１１．２　温水式（温泉水利用）舗装面融雪設備
（１）コンクリート内に設置　　　　　　　　同左
（２）軽量コンクリート内に設置　　　　　　同左
（３）モルタル内に設置　　　　　　　　　　同左
（４）アスファルト舗装内に設置　　　　　　同左
１１．３　電気式舗装面融雪設備
（１）コンクリート内に設置　　　　　　　　同左
（２）軽量コンクリート内に設置　　　　　　同左
（３）モルタル内に設置　　　　　　　　　　同左
（４）アスファルト舗装内に設置　　　　　　同左
１２．温水プール施設
１２．１　温水式床暖房
（１）床・軽量コンクリート内に設置　　　　鉄骨造・コンクリート造
（２）床・モルタル内に設置　　　　　　　　同上
１２．２　温水式壁暖房
（１）壁・間柱間に設置　　　　　　　　　　鉄骨造・コンクリート造
（２）壁・間柱、室内側設置　　　　　　　　同上
（３）壁モルタル内に設置　　　　　　　　　鉄骨造・コンクリート造
１２．３　温水式屋根・融雪設備
（１）屋根・垂木間に設置　　　　　　　　　鉄骨造・コンクリート造
（２）屋根・垂木上に設置　　　　　　　　　同上
（３）屋根・軽量コンクリート内に設置　　　鉄骨造・コンクリート造
（４）屋根・モルタル内に設置　　　　　　　同上
１２．４　温水式（温泉水利用）床暖房
（１）床・軽量コンクリート内に設置　　　　鉄骨造・コンクリート造
（２）床・モルタル内に設置　　　　　　　　同上
１２．５　温水式（温泉水利用）壁暖房
（１）壁・間柱間に設置　　　　　　　　　　鉄骨造・コンクリート造
（２）壁・間柱、室内側設置　　　　　　　　同上
（３）壁モルタル内に設置　　　　　　　　　鉄骨造・コンクリート造
１２．６　温水式（温泉水使用）屋根融雪設備
（１）屋根・垂木間に設置　　　　　　　　　鉄骨造、コンクリート造
（２）屋根・垂木上に設置　　　　　　　　　同上
（３）屋根・軽量コンクリート内に設置　　　鉄骨造・コンクリート造
（４）屋根・モルタル内に設置　　　　　　　同上
１２．７　電気式床暖房
（１）床・軽量コンクリート内に設置　　　　鉄骨造・コンクリート造
（２）床・モルタル内に設置　　　　　　　　同上
１２．８　電気式壁暖房
（１）壁・間柱間に設置　　　　　　　　　　鉄骨造・コンクリート造
（２）壁・間柱、室内側設置　　　　　　　　同上
（３）壁モルタル内に設置　　　　　　　　　同上
１２．９　電気式屋根・融雪設備
（１）屋根・垂木間に設置　　　　　　　　　鉄骨造・コンクリート造
（２）屋根・垂木上に設置　　　　　　　　　同上
（３）屋根・軽量コンクリート内に設置　　　同上
（４）屋根・モルタル内に設置　　　　　　　同上
【００４８】
【発明の効果】
本発明は、叙上のように構成したから、次のような効果を奏する。
（一）請求項１に記載の発明は、
本発明は、ヒートパイプヘッドに流入された流体が上部から下部にまた下部から上部に回転して循環する過程でヒートパイプと充分に接触される流体がもっている熱を効率的に伝達することができ、また流体に含まれているエアーは分割板上部を通じて流体と一緒に流れるようにしていることにより、気泡が一箇所に集まり循環障害を起こすことを防止されていて、結局ヒートパイプの性能を向上させる項がある。
本発明の二重密封ヒートパイプは、本発明の製造装置により内部を真空させて、熱媒体を注入した後に、注入口を密封させるとき、密封ネジ案内管内のネジをネジ案内口に注入することにより、迅速、簡便でありながら、確実に密封させる効果がある。
（四）請求項４に記載の発明は、
本発明の二重密封ヒートパイプは、本発明の製造装置により内部を真空させて、熱媒体を注入した後に、注入口を密封させるとき、密封ネジ案内管内のネジをネジ案内口に注入することにより、迅速、簡便でありながら、確実に密封させる（五）請求項５に記載の発明は、
（六）請求項６に記載の発明は、
（七）請求項９に記載の発明は、
本発明は、ヒートパイプヘッドに結合される締結ナットに逆離脱防止頤を具備されたジョイント口が設置されていることで、ヒートパイプヘッドにヒートパイプを結合させるとき、単純にヒートパイプをジョイント口内に強制挿入させるだけで、逆離脱防止頤により、ヒートパイプが逆に抜けることがなく、強固に結合して、また内部に設置されたＯリングにより水密性を維持できる効果がある。
（八）請求項８に記載の発明は、
本発明は、温水及び冷水が流入される側面の下部に直角方向に温水又は冷水流入口を開けて、その反対側面上部には、流出口を形成してヘッドを連結させるとき、温水又は冷水が供給される側ヘッドの流出口は連結されるヘッドの流入口と連結される構造で連続して連結して自然に温水を供給するヘッド及びヒートパイプが傾斜するよう設置されて温水及び冷水の流れる方向がより緩慢になり、温水の流れと流路の長さが短縮されるのはもちろん、温水が流れるとき発生する抵抗が最小化される。これは、温水又は冷水の効率が迅速で緩慢になり、各ヒートパイプに熱を迅速に供給されることはもちろん、熱損失が少なくなり、熱交換効率が向上される。同じようにこれにより初めのヒートパイプと最後のヒートパイプの温度差が少なくなり、各ヒートパイプが均一な温度分布を保つ。それと水を巡回させる図面に図示されていない水ポンプの負荷を減らし、電力損失を最小化する。同じくヒートパイプが傾斜するよう配管され、熱交換面積を広くもつことにより、周辺の空気と別の熱交換作用が発生する効果がある。
（九）請求項９に記載の発明では、
低価格、超高速熱伝導、燃費の高節約という一石三鳥の効果が発揮される。その具体的効果を以下に記載する。
（１）ジェットパイプを既存の暖房装置におけるヒートパイプのようにだこうさせたり、巡回させなくて済み、直線状、又は、曲線状に並列させればよいので、暖房装置を２０万円台で設備することができるというように製作コストや施工コストを著しき割安にすることができる。
（２）既存のパイプ式暖房装置のようにパイプ全長に恒って温水を循環させる必要がなく、水あか（スケール）現象による破損の心配がないので、半永久的に安心して使用することができ、また、磁性が発生しないので、健康にも良い。そのうえ、熱伝導のロスが少なくなり、熱伝導性能が低下するようなことはない。大規模な施設などの暖房にも適し、広範な用途に活用できる。
（３）本発明におけるジェットパイプは、これまでの方式（熱風機、太陽熱、地中暖房＋熱風機）や、既存のパイプ式の暖房装置、例えば、温水オンドル暖房装置、ガラス温室、ハウス暖房時の燃料費の４０％以上、専用暖房時の燃料費の５０％以上を節約でき、従来のパイプ式の暖房装置に比べて、４５％以上のエネルギーを節減できるので、ランニングコストを著しく割安にすることができるうえ、無公害のエネルギー節減型暖房装置を提供することができる。
（４）本発明におけるジェットパイプは、既存のパイプ式の暖房装置より約１，０００倍速く熱を伝導するので、部屋全体が暖まるまでの時間が僅か２分〜３分位であるというように急速暖房が可能である。
（５）本発明におけるジェットパイプは、部屋全体にまんべんなく熱を伝えるうえ、衛生的なオンドルシステムとすることができるので、外風がほとんどなく、快適な生活をもたらす。
（６）潅水量が既存のパイプ式の暖房装置の１０％以下と少量で、温水が直接パイプを通過しないので、潅水パイプによる水脈が生じなくて健康に良い。
（７）室内環境が少ないので、農作物が受けるストレスが軽くなって、１５％程度収穫率を上げることができる。
（８）朝、農作物の葉に露ができ、また、輻射方式なので、空気が乾燥せず、葉枯れ、黄葉病、アブラムシ、などの病虫害を予防できる。
（９）農作物の品質が均一で、出荷時期が１週間ほど早くなるので、高い価格で販売することができる。
（１０）本発明に係る暖房装置を住宅などの屋根に設備しておき、降雪時季に稼動させれば、屋根に雪が降り積もるのを未然に防止できるので、従来の手作業で除雪していた労力を省くことができ、地方自治体などの除雪対策費を大幅に縮減できる。
（１１）本発明に係る暖房装置を道路や特定の地面などに埋設しておき、降雪時季に稼動すれば、道路や特定の地面などに雪が降り積もるのを未然に防止できるので、交通傷害、歩行障害などの雪による障害をなくすことができる。
（十）請求項１０に記載の発明は、
従来のパイプ式暖房装置に比べて、電力消費が著しく節減でき、ランニングコストを著しく節減できる。しかも、暖房効率が良く、急速暖房が可能である。
（十一）請求項１１に記載の発明は、
従来のパイプ式暖房装置に比べて、電力消費が著しく節減でき、ランニングコストを著しく節減できる。しかも、暖房効率が良く、急速暖房が可能である。
（十二）請求項１２に記載の発明は、
エンジンの余熱を利用して自動車、列車、船舶などの乗物内部を冷暖房することができるので、燃料を余分に使わなくて済み、経済的である。
【図面の簡単な説明】
【図１】本発明によるヒートパイプヘッドの構造を表す斜視図である。
【図２】本発明によるヒートパイプヘッドの構造を表す断面図である。
【図３】本発明によるヒートパイプヘッドの設置状態断面図である。
【図４】図３のＡ―Ａ線断面図である。
【図５】本発明によるＦＭＳヒートパイプ製造装置の構造を表す断面図である。
【図６】本発明によるヒートパイプ密封部の拡大分離斜視図である。
【図７】ネジヘッドの構造を表した部分拡大断面図である。
【図８】本発明のネジヘッドの構造を表した部分拡大図である。
【図９】本発明によるヒートパイプ密封部の拡大断面図である。
【図１０】本発明による熱媒体装置の要部拡大図である。
【図１１】本発明によるヒートパイプの構造を表す断面図である。
【図１２】本発明のネジヘッドの構造を表した部分の拡大断面図である。
【図１３】本発明のネジヘッドの別の実施例の構造を表した部分拡大断面図である。
【図１４】本発明の自動密封ネジ締結装置の構造を示した断面図である。
【図１５】従来の技術による自動密封ネジ締結装置の構造を表した断面図である。
【図１６】本発明によるヒートパイプヘッドの構造を表した斜視図である。
【図１７】本発明のヒートパイプヘッドの分離断面図である。
【図１８】本発明のヒートパイプヘッドが結合された状態の断面図である。
【図１９】本発明によるヒートパイプ設置状態図である。
【図２０】本発明によるヒートパイプの別の実施例の設置状態図である。
【図２１】本発明によるヒートパイプ設置状態図である。
【図２２】図２１の総面図である。
【図２３】図１７の総断面図である。
【図２４】本発明に係る暖房装置を一戸建て住宅に設備した状態を概略的に示す図である。
【図２５】本発明に係る単口ヘッドタイプの暖房装置一戸建て住宅の床下に設備した状態を示す側面構造図である。
【図２６】本発明に係る両口ヘッドタイプの暖房装置を一戸建て住宅の床下に設備した状態を示す側面構造図である。
【図２７】図１９及び図２１に示した暖房装置において、ヒートパイプとして使用する通水管とジェットパイプとの接続構造を説明する図である。
【図２８】本発明に係る暖房装置を農業用ハウスに設備した状態を概略的に示す図である。
【図２９】図２３に示した暖房装置において、ヒートパイプとして使用する通水管にジェットパイプが接続された状態を示す図である。
【図３０】ジェットパイプとヒートパイプの接合構造を説明する図である。
【図３１】ジェットパイプの電熱を伝達する電気回路が接続された状態を示す図である。
【図３２】図２６に示したジェットパイプにより構成された暖房装置を示す斜視図である。
【図３３】既存の暖房装置を一戸建て住宅に設備した状態を概略的に示す図である。
【図３４】既存の暖房装置を農業用ハウスに設備した状態を概略的に示す図である。
【符号の説明】
１０　　ヒートパイプ
１０Ａ　　ヒートパイプヘッド
１２　　流出口ヒートパイプロールヘッド本体
１４　　流入口
１６　　流出口
１７　　密封ネジ
１８　　分割リブ
２０　　ヒートパイプ装置
２０Ａ　　ヒートパイプ製造装置
２２　　案内孔
２２Ａ　　パッキン
２３　　ジョイントボルト
２３　　ガイド
２４Ａ　　ヒートパイプ挿入口
２５　　取っ手
２６　　ブランチ
２７　　下部キャップ
２８　　スペイサー板
３０　　熱媒体注入装置
３０Ａ　　栓
３１　　ネジ案内口
３１Ａ　　ネジ案内管
３３　　装着ヘッド
３４　　ネジセッティング用伸縮チューブ
３４Ａ　　敷溝
３４Ｂ　　アームネジ部
３５　　密封ネジ
３６　　冷水流入口
３６Ａ　　ヘッド
３６Ｂ　　密封キャップ
３６Ａ　　密封キャップ
３７　　パイプ
３８　　流出口
３８Ａ　　流出口
３８Ｂ　　真空ポンプ
３９　　連結管
４０　　ネジ案内孔
４１　　ドライバー案内管
４１Ａ　　ヘッド本体
４２　　流入口
４２Ａ　　可動フレイム
４３　　流出口
４３Ａ　　昇下降シリンダー
４４　　ガイド部
４４Ａ　　分割板
４５　　ヒートパイプ室
４６　　ヒートパイプ挿入孔
４７　　分割リブ
４９　　ブランチ
５２　　ネジ装着ヘッド
６２　　熱媒体注入装置
６７　　ガイド部
６８　　昇下降シリンダー
６９　　真空ポンプ
７６　　ネジ部
７７　　締結口
７８　　孔
７９　　ヒートパイプ
８０　　ヒートパイプヘッド
８６　　ジョイント孔
８７　　ネジ部
８８　　締結ナット
８９　　Ｏリング装着頤
９０　　Ｏリング
９１　　ジョイント孔
９２　　Ｏリング
９３　　ジョイント口
９４　　ヘッド
９７　　流出口
９８　　温水又は冷水流入口
９９　　流出口
１１９　　流入口
１２０　　ジェットパイプ
１２２　　ワッシャー
１２３　　Ｏリング
１２４　　ヘッダー
１２５　　連結口
１２６　　一戸建て用の暖房装置
１２７　　ジェットパイプ
１２８　　ヒートパイプ
１２８Ａ、１２８Ｂ　　両側管端
１２９　　加熱装置
１３０　　水
１３１　　暖房装置
１３２　　基礎コンクリート
１３３　　断熱材
１３４　　角木
１３５　　単口ヘッド
１３６　　通水管
１３６　　通水管
１３７　　受台
１３８　　管端
１３９　　モルタル
１３９Ａ　　美装モルタルライン
１４０　　暖房装置
１４１　　基礎コンクリート
１４２　　断熱材
１４３　　角木
１４４、１４５　　両口ヘッド
１４６、１４７　　通水管
１４８　　一方の管端
１４９、１５０　　両側管端
１５１　　受台
１５２、１５３　　管端
１５４　　モルタル
１５５　　美装モルタルライン
１５６　　通水管
１５７　　単口ヘッド
１６０　　ゴム栓
１６１　　ワッシャー
１６２　　キャップボルト
１６３　　農業ハウス用の暖房装置
１６４　　ジェットパイプ
１６５　　ヒートパイプ
１６６　　加熱槽
１６７、１６８　　両側管端
１６９　　水
１７０　　管端
１７１　　ゴム栓
１７２　　ワッシャー
１７３　　キャップボルト
１７４　　電気式の暖房装置
１７５　　電源
１７６　　ヒートパイプ
１７７　　発熱抵抗器
１７８　　電源線
１７９　　プラグ
１８０　　コントロールボックス
１８１　　ヒーター
１８２　　熱感知線
１８３　　ヒーターボックス
【図１】
2004028431.tif 000004
【図２】
2004028431.tif 000005
【図３】
2004028431.tif 000006
【図４】
2004028431.tif 000007
【図５】
2004028431.tif 000008
【図６】
2004028431.tif 000009
【図７】
2004028431.tif 000010
【図８】
2004028431.tif 000011
【図９】
2004028431.tif 000012
【図１０】
2004028431.tif 000013
【図１１】
2004028431.tif 000014
【図１２】
2004028431.tif 000015
【図１３】
2004028431.tif 000016
【図１４】
2004028431.tif 000017
【図１５】
2004028431.tif 000018
【図１６】
2004028431.tif 000019
【図１７】
2004028431.tif 000020
【図１８】
2004028431.tif 000021
【図１９】
2004028431.tif 000022
【図２０】
2004028431.tif 000023
【図２１】
2004028431.tif 000024
【図２２】
2004028431.tif 000025
【図２３】
2004028431.tif 000026
【図２４】
2004028431.tif 000027
【図２５】
2004028431.tif 000028
【図２６】
2004028431.tif 000029
【図２７】
2004028431.tif 000030
【図２８】
2004028431.tif 000031
【図２９】
2004028431.tif 000032
【図３０】
2004028431.tif 000033
【図３１】
2004028431.tif 000034
【図３２】
2004028431.tif 000035
【図３３】
2004028431.tif 000036
【図３４】
2004028431.tif 000037